(57)【要約】  【課題】  スラブを構成するコンクリートの損傷なく、スラブを基礎として設備を支持できるスラブ構造を提供する。  【解決手段】  形成されるスラブと等しい高さを有し、所定間隔を隔てて複数個配置され、プレキャストコンクリートにより構成される埋込ブロック１と、埋込ブロック１に係合する鉄筋と、鉄筋に接し、埋込ブロックの周囲に高さとなるように打設され、硬化・凝固後にスラブ７を形成する現場打ちコンクリートとを備える。下層側仮設支柱及び上層階側仮設支柱を撤去した後、天井スラブ側雌ねじ部６を下層階側における設備を支持する基礎として利用し、床スラブ側雌ねじ部４を上層階側における設備を支持する基礎として利用する。【選択図】  図７
2011099286.tif 000002
【特許請求の範囲】
【請求項１】
形成されるスラブと等しい高さを有し、所定間隔を隔てて複数個配置され、プレキャストコンクリートにより構成される埋込ブロックと、
前記埋込ブロックに係合する鉄筋と、
前記鉄筋に接し、前記埋込ブロックの周囲に前記高さとなるように打設され、硬化・凝固後に前記スラブを形成する現場打ちコンクリートとを備えるスラブ構造であって、
前記埋込ブロックの底面には、下層階へ臨む天井スラブ側雌ねじ部が形成され、
前記天井スラブ側雌ねじ部には、前記現場打ちコンクリートの硬化・凝固が完了するまで、下層階側仮設支柱がねじ止めされ、
前記埋込ブロックの上面には、上層階へ臨む床スラブ側雌ねじ部が形成され、
前記床スラブ側雌ねじ部には、前記現場打ちコンクリートの硬化・凝固が完了するまで、上層階側仮設支柱がねじ止めされ、
前記下層側仮設支柱及び前記上層階側仮設支柱を撤去した後、前記天井スラブ側雌ねじ部を下層階側における設備を支持する基礎として利用し、前記床スラブ側雌ねじ部を上層階側における設備を支持する基礎として利用することを特徴とするスラブ構造。
【請求項２】
前記下層階側における設備は、天井板、天井から床に至る壁板、高所に配置される機材、配管、ダクト、家具、建具、センサー、シャッター及びブラインドの少なくとも一つを含む請求項１記載のスラブ構造。
【請求項３】
前記上層階側における設備は、床板、床から天井に至る壁板、低所に配置される機材、配管、ダクト、水回り機器、家具、建具、金庫、センサー、機械、免震設備、手摺、シャッター及びブラインドの少なくとも一つを含む請求項１記載のスラブ構造。
【請求項４】
前記下層階側における設備及び前記上層階側における設備を支持する支持具は、前記天井スラブ側雌ねじ部及び前記床スラブ側雌ねじ部に直接ねじ止めされる請求項１から３のいずれかに記載のスラブ構造。
【請求項５】
前記埋込ブロックは、ハーフＰＣ版の全部又は一部から構成される請求項１から４のいずれかに記載のスラブ構造。
【請求項６】
前記天井スラブ側雌ねじ部及び前記床スラブ側雌ねじ部には、中間支持部材が直接ねじ止めされ、前記下層階側における設備及び前記上層階側における設備を支持する支持具が、前記中間支持部材に固定されることにより、前記下層階側における設備及び前記上層階側における設備は、前記天井スラブ側雌ねじ部及び前記床スラブ側雌ねじ部に支持される請求項１から３のいずれかに記載のスラブ構造。
【発明の詳細な説明】
【技術分野】
【０００１】
本発明は、現場打ちされる生コンクリートを主材とするスラブの構造に関するものである。
【背景技術】
【０００２】
本出願人は、先にスラブ設計の自由度を高く維持しながら、しかも工期を大幅に短縮できる技術を提案し特許権を取得した（特許文献１：特許第４１９１２３５号公報）。本発明者らは、当該技術をふまえ、さらなる研究を進めているところであるが、スラブを構築した後、各種の設備（例えば、配管、配線、板、壁等）を据え付ける点について考察した。
【０００３】
周知の通り、コンクリートからなるスラブに、上記設備を設置する際には、通常、プレーンなコンクリートにアンカーを打ち、設備の性質に合う支持具を固定する。当該作業は、何の考慮もなく当たり前のように実施されている。
【０００４】
しかしながら、このようにすると、アンカーを打つ際に、コンクリートにひび割れ、欠け、その他の損傷がしばしば発生する。つまり、アンカーをコンクリートに打つ行為自体が、コンクリートを痛めつけることに直結する。
【０００５】
アンカーを打つと、コンクリートは、設計時に意図されていた強度を維持できず、強度が低下する。それだけでなく、以上のようなひび割れや欠けなどが発生し、その箇所に水が接すると、毛細管現象により、水は、あらゆる方向へ迷走する。そうなると、スラブの品質が低下し、寿命も短くなってしまう。
【特許文献１】特許第４１９１２３５号公報
【特許文献２】特開平９−２１７４１７号公報
【特許文献２】特開平８−２７００６９号公報
【発明の開示】
【発明が解決しようとする課題】
【０００６】
本発明者らは、先に提案した技術を推し進めれば、このようなアンカーを打つことなく、設備を設置できるのではないかとの知見を得て鋭意研究し、本発明を完成するに至った。本発明によれば、コンクリートの損傷も未然に防止することができる。
【０００７】
即ち、本発明は、スラブを構成するコンクリートの損傷なく、スラブを基礎として設備を支持できるスラブ構造を提供することを目的とする。
【課題を解決するための手段】
【０００８】
第１の発明に係るスラブ構造は、形成されるスラブと等しい高さを有し、所定間隔を隔てて複数個配置され、プレキャストコンクリートにより構成される埋込ブロックと、埋込ブロックに係合する鉄筋と、鉄筋に接し、埋込ブロックの周囲に高さとなるように打設され、硬化・凝固後にスラブを形成する現場打ちコンクリートとを備えるスラブ構造であって、埋込ブロックの底面には、下層階へ臨む天井スラブ側雌ねじ部が形成され、天井スラブ側雌ねじ部には、現場打ちコンクリートの硬化・凝固が完了するまで、下層階側仮設支柱がねじ止めされ、埋込ブロックの上面には、上層階へ臨む床スラブ側雌ねじ部が形成され、床スラブ側雌ねじ部には、現場打ちコンクリートの硬化・凝固が完了するまで、上層階側仮設支柱がねじ止めされ、下層側仮設支柱及び上層階側仮設支柱を撤去した後、天井スラブ側雌ねじ部を下層階側における設備を支持する基礎として利用し、床スラブ側雌ねじ部を上層階側における設備を支持する基礎として利用する。
【０００９】
この構成において、複数個の埋込ブロックは、スラブ内において所定間隔を隔て整然と配置されており、各埋込ブロックの底面には、下層階へ臨む天井スラブ側雌ねじ部が位置し、同上面には、上層階へ臨む床スラブ側雌ねじ部が位置する。
【００１０】
即ち、スラブの構築が完成し、仮設支柱を撤去すれば、直ちに、下層階において天井スラブ側雌ねじ部が露出し、上層階において床スラブ側雌ねじ部が露出する。よって、下層階においても上層階においても、整然と配置されたこれらの雌ねじ部を、特別な作業なしに直ちに得られる。
【００１１】
これらの雌ねじ部は、仮設支柱の撤去までは仮設支柱との連結に使用されていたものであるが、撤去後は、別の部材との螺合用として直ちに転用することができる。しかも、この際、スラブにアンカーを打ちスラブを傷つけるようなことは一切無い。実際、特に天井に向けて上向きにアンカーを打つ作業は、作業者に大きな負担をかけるものであるが、このような作業は一切不要である。
【００１２】
また、埋込ブロックは、プレキャストコンクリートからなるから、現場打ちされ、かつスラブを構成するコンクリートと同質であり、例えば金物等の治具をスラブに埋め込むような場合とは一線を画し、コンクリートスラブの均一性や性能を高く保持することができる。
【００１３】
第２の発明に係るスラブ構造では、下層階側における設備は、天井板、天井から床に至る壁板、高所に配置される機材、配管、ダクト、家具、建具、センサー、シャッター及びブラインドの少なくとも一つを含む。
【００１４】
第３の発明に係るスラブ構造では、上層階側における設備は、床板、床から天井に至る壁板、低所に配置される機材、配管、ダクト、水回り機器、家具、建具、金庫、センサー、機械、免震設備、手摺、シャッター及びブラインドの少なくとも一つを含む。
【００１５】
これらの構成により、下層階及び上層階のそれぞれにおいて、必要とされる設備を支持・取付するための基礎として、上記各雌ねじ部を特別な作業なしに活用することができる。
【００１６】
第４の発明に係るスラブ構造では、下層階側における設備及び上層階側における設備を支持する支持具は、天井スラブ側雌ねじ部及び床スラブ側雌ねじ部に直接ねじ止めされる。
【００１７】
この構成により、設備を支持する支持具を直接各雌ねじ部にねじ止めすることにより、設備を支持できる。つまり、中間支持部材を介さずに、シンプルで部材品数を増やさずに、設備を支持できる。
【００１８】
第５の発明に係るスラブ構造では、天井スラブ側雌ねじ部及び床スラブ側雌ねじ部には、中間支持部材が直接ねじ止めされ、下層階側における設備及び上層階側における設備を支持する支持具が、中間支持部材に固定されることにより、下層階側における設備及び上層階側における設備は、天井スラブ側雌ねじ部及び床スラブ側雌ねじ部に支持される。
【００１９】
この構成により、中間支持部材をまず各雌ねじ部に固定し、さらに支持具に各設備を取り付けることができる。したがって、各雌ねじ部のみでは、ピッチが大きすぎるような場合においても、中間支持部材に狭ピッチの取付部を設けることにより、対応することができる。中間支持部材を介在させることにより、支持具を直接各雌ねじ部にねじ止めする場合に比べ、対応範囲を拡大し、高機能化することができる。
【発明の効果】
【００２０】
本発明によれば、スラブにアンカーを打つような有害で負担が多い作業なしに、直ちに、整然と配置された各雌ねじ部を得ることができ、それらを設備の支持に活用できる。
【発明を実施するための最良の形態】
【００２１】
以下、図面を参照しながら、本発明の実施の形態を説明する。まず、本形態のスラブ施工方法の各工程を述べる。
【００２２】
（スラブ施工方法）
図１〜図４は、本発明の一実施の形態におけるスラブ施工方法の工程説明図である。
【００２３】
＜前提事項＞
はじめに、図１に示すように、水平な既設スラブ１０１がすでに構築されているものとする。この上に、複数階のスラブを構築し、中規模又は大規模の（２階建て以上）コンクリート構造物を構築する。既設スラブ１０１は、通常、コンクリートスラブからなるが、後述する仮設支柱群を支障なく支持できるものであれば、理論的には任意に構成できる。
【００２４】
図示の都合上、図１〜図４では、三階までに相当する分の空間（スラブ間の）のみが示されているが、これは単なる例示に過ぎず、二階のみとしてもよいし、以下の構築方法を繰り返すことにより、四階以上としてもよく、このような場合も本発明に包含される。
【００２５】
＜下層階の仮設構造体＞
まず、上述のような既設スラブ１０１が準備できてから、複数の仮設支柱１０２、１０３を既設スラブ１０１上に適宜間隔をあけて立ててゆく。ここで、仮設支柱１０２は、中層階あるいは上層階からの荷重を受けることを予定するものである。
【００２６】
一方、仮設支柱１０３は、中層階あるいは上層階からの荷重（型枠、鉄筋及び打設されたコンクリートの荷重は除く。）を受けることを予定しない、補強的な支柱である。図示した例では、スパンＬ１の中間に配置しているが、これも適宜変更できる。
【００２７】
仮設支柱１０２、１０３は、市販の仮設支柱で差し支えないが、下端部に既設スラブ１０１に接する下端板１０２ａ、１０３ａを有し、上端部に上端板１０２ｂ、１０３ｂを有し、高さ調整ができるものが好ましい。下端板１０２ａ、１０３ａ、１０２ｂ、１０３ｂは、それぞれ水平なフランジ状に幅広に形成されているのが好ましい。支柱本体の水平断面は、矩形等の多角形でもよいし、円形等でもよい。
【００２８】
＜中層階の仮設構造体＞
次に、型枠１０４を上端板１０２ｂ、１０３ｂ上に配置する。型枠１０４は、通常、水平なコンクリートパネルと、それを補強する根太及び大引（図示せず）を備えて構成されるが、仮設構造体の構成及び生コンクリートの打設及びその養生（硬化・凝固）に支障がなければ、必ずしもこれに限定されない。
【００２９】
次に、型枠１０４の設置が完了したら、中層階において、仮設支柱１０２の上端板１０２ｂの真上に、埋込ブロック１１０を配置する。つまり、埋込ブロック１１０は、スパンＬ１毎に配置される。
【００３０】
次に、図２に示すように、中層階において、埋込ブロック１１０の上に、仮設支柱１０５を立ててゆく。この際、上述と同様に、仮設支柱１０５は、下端部に下端板１０５ａ、上端部に上端板１０５ｂを有し、下端板１０５ａ、１０５ｂは水平なフランジ状をなすことが好ましい。
【００３１】
＜上層階の仮設構造体＞
次に、上層階において、中層階と同様に、型枠１０６を上端板１０５ｂ上に配置する。型枠１０６の設置が完了したら、上層階において、仮設支柱１０５の上端板１０５ｂの真上に、埋込ブロック１２０を配置する。つまり、埋込ブロック１２０は、埋込ブロック１１０と同様に構成されるとともに、スパンＬ１毎に配置される。以上により、本形態の仮設構造体が完成する。
【００３２】
埋込ブロック１１０は、仮設支柱１０２と仮設支柱１０５とを長手方向において着脱可能に連結する継手であることが、図３を見れば理解されよう。しかも、埋込ブロック１１０は、後述するように、コンクリートの打設、硬化・凝固後も、コンクリート内に一体的に保持される点に注目されたい。
【００３３】
＜配筋＞
【００３４】
次に、図３に示すように、中層階において埋込ブロック１１０と係合させながら、鉄筋１０７を配筋する。また、上層階において埋込ブロック１２０と係合させながら、鉄筋１０８を配筋する。
【００３５】
＜生コンクリートの打設＞
中層階において、コンクリート１１４を、上層階においてコンクリート１１５を、それぞれ生コンクリート供給ホース１０９を用いて現場打ちする。
【００３６】
＜コンクリートの養生＞
中層階及び上層階における、生コンクリートの打設が完了したら、コンクリートが硬化・凝固するのを待つ。コンクリートの硬化・凝固は、中層階及び上層階において、ほぼ同時並列に進行する点は、図４を見れば明らかであろう。
【００３７】
即ち、複数階の現場打ちコンクリートを、同時並行して一気に、硬化・凝固させることができ、これにより、作業が停滞する無駄時間を削減し、工期全体を大幅に圧縮できる。
【００３８】
以上のスラブ構造では、次のような関係が成立する。即ち、埋込ブロックが、スラブと等しい高さを有し、所定間隔を隔てて複数個配置され、プレキャストコンクリートにより構成される。
【００３９】
埋込ブロックの底面には、下層階へ臨む天井スラブ側雌ねじ部が形成され、天井スラブ側雌ねじ部には、現場打ちコンクリートの硬化・凝固が完了するまで、下層階側仮設支柱がねじ止めされる。
【００４０】
埋込ブロックの上面には、上層階へ臨む床スラブ側雌ねじ部が形成され、床スラブ側雌ねじ部には、現場打ちコンクリートの硬化・凝固が完了するまで、上層階側仮設支柱がねじ止めされる。
【００４１】
下層側の仮設支柱及び上層階側の仮設支柱が撤去されると、埋込ブロックの各雌ねじ部が外部に露出する。即ち、下層階では、天井スラブ側雌ねじ部が天井から下向きに露出し、上層階では、床スラブ側雌ねじ部が床から上向きに露出する。
【００４２】
そして、次に各実施の形態を示しながら述べるように、これら露出する各雌ねじ部に、支持具を固定する固定ボルトをねじ込み、設備を支持する基礎として利用するものである。勿論、以下述べる各実施の形態は、本発明の例示に過ぎないのであって、本発明の趣旨を逸脱しない限り、種々の変更追加を加えても本発明に包含される。
【００４３】
（実施の形態１）
実施の形態１では、上層階側において床を設置する例を述べる。しかしながら、上下を逆にすれば、下層階側において天井（住人から見える）を設置するように応用することもできる。実施の形態１は、中間支持部材を介さない例である。
【００４４】
図５（ａ）は、本発明の実施の形態１における床設置工程を示す平面図、図５（ｂ）は、同断面図、図６は、同埋込ブロックの水平配置を示す平面図である。
【００４５】
以下、各実施の形態に共通して、図６に示すように、埋込ブロック１は、平面視でマトリックス状に配置されるものとし、埋込ブロック１同士の長手方向のスパンは、１９００ｍｍ、短手方向のスパンは、９００ｍｍであるものとする。勿論、このような数値、レイアウトは例示に過ぎず、種々変更できる。
【００４６】
図５（ａ）に示すように、埋込ブロック１は、ほぼ立方体状のプレキャストコンクリートからなり、その底面５はフラットであるが、上面３側には、平面視で十字状をなす溝部２が形成されている。これは、上面３内へ上方から鉄筋を容易に挿入できるように配慮したものであり、鉄筋が挿入されると、溝部２内において鉄筋は所定の高さに保持され、埋込ブロック１から外れたり埋込ブロック１よりも下方へ脱落するようなことはない。この埋込ブロック１は、ブロック単体により構成しても良いが、ハーフＰＣ版の一部または全部により構成しても良い。ハーフＰＣ版を使用するときは、ハーフＰＣ版自体を型枠として取り扱うことができるから、ハーフＰＣ版以外の型枠を全部又は一部省略しても差し支えない。
【００４７】
図５（ａ）、（ｂ）に示すように、埋込ブロック１の真上乃至近傍でない位置においては、ベース１０をスラブ７の上に設置し、床束１１の下端部をベース１０に固定し、床束１１の上端部を下地受１２に連結する。
【００４８】
また、埋込ブロック１の真上乃至近傍においては、固定ボルト１６を床スラブ側雌ねじ部４にねじ込むことにより、ベース１５を埋込ブロック１に固定し、床束１１の下端部を床束１１に固定し、床束１１の上端部を下地受１２に連結する。
【００４９】
以上により、図６に示すように、下地受１２が所定の間隔をあけてマトリックス状に配置されることになる。この際、スラブ７にアンカーを打つ等の作業は全く必要ない。
【００５０】
そして、下地受１２の上に下地板１３を配置し、さらに下地板１３の上面を仕上板１４により仕上げる。
【００５１】
これにより、仕上板１４が見える床が構築された。
【００５２】
（実施の形態２）
実施の形態２では、上層階側において床を設置する例を述べる。しかしながら、上下を逆にすれば、下層階側において天井（住人から見える）を設置するように応用することもできる。実施の形態２は、中間支持部材を介する例である。ここで、図７（ａ）は、本発明の実施の形態２における床設置工程を示す平面図、図７（ｂ）は、同断面図、図８は、同埋込ブロックの水平配置を示す平面図である。
【００５３】
図７（ａ）、（ｂ）に示すように、横長の中間支持部材であるベース杆１５ａを用意する。ベース杆１５ａの両端部には、固定ボルト１６をねじ込むための孔が開けてあり、また、所定ピッチを開けて、床束１１を固定するための孔が開けてある。ベース杆１５ａの長さは、ほぼ埋込ブロック１同士の間隔と同じか或いはやや短めに設定する。
【００５４】
埋込ブロック１の真上乃至近傍において、固定ボルト１６を床スラブ側雌ねじ部４にねじ込むことにより、ベース杆１５ａの両端部を埋込ブロック１にそれぞれ固定する。
【００５５】
そして、ベース杆１５ａにそれぞれピッチを開けて設けられた孔に床束１１の下端部を固定し、床束１１の上端部を下地受１２に連結する。
【００５６】
以上により、図８に示すように、下地受１２が所定の間隔をあけてマトリックス状に配置されることになる。この際、スラブ７にアンカーを打つ等の作業は全く必要ない。
【００５７】
そして、下地受１２の上に下地板１３を配置し、さらに下地板１３の上面を仕上板１４により仕上げる。
【００５８】
これにより、仕上板１４が見える床が構築された。
【００５９】
（実施の形態３）
実施の形態３では、上層階側においていわゆるＯＡフロアであって、床下に所望の配線を可能とする床を設置する例を述べる。しかしながら、上下を逆にすれば、下層階側において天井（住人から見える）を設置するように応用することもできる。実施の形態３は、中間支持部材を介する例である。
【００６０】
図９（ａ）は、本発明の実施の形態３における床設置工程を示す平面図、図９（ｂ）は、同断面図、図１０は、同埋込ブロックの水平配置を示す平面図である。
【００６１】
図９（ａ）、（ｂ）に示すように、縦長の中間支持部材であるベースプレート１６ａを用意する。ベースプレート１６ａの中央部には、固定ボルト１６をねじ込むための４カ所の孔が開けてあり、また、その両端部から垂直上方へ起立する一対の床束１８が設けられる。
【００６２】
埋込ブロック１の真上において、固定ボルト１７を床スラブ側雌ねじ部４にねじ込むことにより、ベースプレート１６ａを埋込ブロック１に固定する。
【００６３】
床束１８の上端部は、縦横水平に配置される床根太１９に連結される。以上により、図１０に示すように、埋込ブロック１を基礎とする床根太１９がスラブ７よりも高いレベルで構築される。さらに、床根太１９に依拠して必要な部材を配置すれば、目的のＯＡフロアが完成する。この際、スラブ７にアンカーを打つ等の作業は全く必要ない。
【００６４】
（実施の形態４）
実施の形態４では、上層階側において床から上方へ起立する壁を構築する例を述べる。しかしながら、上下を逆にすれば、下層階側において天井（住人から見える）から支持された壁を設置するように応用することもできる。
【００６５】
＜第１例＞
第１例は、中間支持部材を介しない例である。
【００６６】
図１１（ａ）は、本発明の実施の形態４の第１例における壁構築工程を示す平面図、図１１（ｂ）は、同断面図である。
【００６７】
図１１（ａ）、（ｂ）に示すように、固定ボルト２２の下端部に床スラブ側雌ねじ部４の配置に合わせたＵ字孔２１を開けておく。
【００６８】
埋込ブロック１の真上において、固定ボルト２２を床スラブ側雌ねじ部４にねじ込むことにより、下地間仕切壁２０を埋込ブロック１に固定する。下地間仕切壁２０としては、軽鉄のものが望ましく、一般には、下地間仕切壁２０の外側（室内側）に仕上げ板を配設する。
【００６９】
なお、下地間仕切壁２０の上端部も天井スラブに対して同様に固定することもできる。これにより、壁の構築が完成する。この際、スラブ７にアンカーを打つ等の作業は全く必要ない。
【００７０】
＜第２例、第３例＞
第２例、第３例は、中間支持部材を介する例である。
【００７１】
図１２（ａ）は、本発明の実施の形態４の第２例における壁構築工程を示す平面図、図１２（ｂ）は、同断面図、図１２（ｃ）は、本発明の実施の形態４の第３例における壁構築工程を示す平面図、図１２（ｄ）は、同断面図である。
【００７２】
第２例は、埋込ブロック１の位置からずれた位置に乾式壁２３を構築する例である。即ち、長さが異なる一対の第１アングル２５、第２アングル２６を用意し、それぞれ埋込ブロック１の床スラブ側雌ねじ部４の配置に合わせたＵ字孔２７を開けておく。そして、第１アングル２５、第２アングル２６の長さの差（つまり立ち上がり部同士の間隔）が乾式壁２３の厚さと合うように形成しておく。
【００７３】
埋込ブロック１の真上において、固定ボルト２８を床スラブ側雌ねじ部４にねじ込むことにより、第１アングル２５、第２アングル２６を埋込ブロック１に固定する。なお、乾式壁２３の外面は、そのままでもよいし、別部材で仕上げてもよい。
【００７４】
なお、乾式壁２３の上端部も天井スラブに対して同様に固定することもできる。これにより、壁の構築が完成する。この際、スラブ７にアンカーを打つ等の作業は全く必要ない。
【００７５】
第３例は、埋込ブロック１の位置の真上に乾式壁２３を構築する例である。即ち、埋込ブロック１の床スラブ側雌ねじ部４の配置に合わせた長孔３３を開けた連結プレート２９と、連結プレート２９の上に載置されると共に、垂直に立ち上がって乾式壁２３の両側を支持する立ち上がり部を有する第１アングル３１、第２アングル３２とを、用意する。
【００７６】
埋込ブロック１の真上において、固定ボルト３０を床スラブ側雌ねじ部４にねじ込むことにより、連結プレート２９を埋込ブロック１に固定する。さらに、連結プレート２９の上に第１アングル３１、第２アングル３２を置き、固定ボルト３３を連結プレート２９にねじ込むことにより、第１アングル３１、第２アングル３２を連結プレート２９に固定する。この際、第１アングル３１、第２アングル３２の間に、乾式壁２３を配置しておけば、乾式壁２３の構築が完成する。乾式壁２３の外面は、そのままでもよいし、別部材で仕上げてもよい。
【００７７】
乾式壁２３の上端部も天井スラブに対して同様に固定することもできる。この際、スラブ７にアンカーを打つ等の作業は全く必要ない。
【００７８】
ここで、以上何度も説明したように、埋込ブロック１はマトリックス状にスラブ７内に位置するから、図１３に示すように、壁のレイアウトを必要に応じて種々変更することができる。
【００７９】
即ち、古い壁部分３４を取り除き、従前は無かった新しい壁部分３５を新たに追加する如くである。さらに、壁のみならず、他の設備についても、レイアウトの変更が容易であり、しかもその際においても、アンカー打ちなどの有害な作業は全く必要がない。
【００８０】
（実施の形態５）
実施の形態５では、上層階側において床下の配管を設置する例を述べる。しかしながら、上下を逆にすれば、下層階側において天井（住人から見える）板の上側に配管を設置するように応用することもできる。実施の形態５は、中間支持部材を介する例である。
【００８１】
図１４（ａ）は、本発明の実施の形態５における配管設置工程を示す平面図、図１４（ｂ）は、同断面図、図１５は、同埋込ブロックの水平配置を示す平面図である。
【００８２】
図１４（ａ）、（ｂ）に示すように、縦長の中間支持部材である固定金具３８を用意し、固定金具３８の中央部には、固定ボルト３７をねじ込むための２カ所の長孔を開けておく。
【００８３】
埋込ブロック１の真上において、ベース３６を埋込ブロック１上に載置し、ベース３６の上に固定金具３８を載置する。そして、長孔を介して固定ボルト３７を床スラブ側雌ねじ部４にねじ込むことにより、固定金具３８を埋込ブロック１に固定する。
【００８４】
固定金具３８には、配管４０を固定する固定バンド３９を取り付けられるようになっている。したがって、図１５に示すように、固定金具３８を所定の位置にレイアウトすることにより、配管４０を平行に走らせたり、角で曲がるようにしたりするなど、床下において柔軟にレイアウトすることができる。しかもこの際、スラブ７にアンカーを打つ等の作業は全く必要ない。
【００８５】
（実施の形態６）
実施の形態６では、スラブ７上に機材設置用の基礎ブロック４１を配置する例を述べる。このような機材としては、家具、建具、金庫、センサー、機械（発電機、熱交換機、ボイラ、変電設備、ポンプ等）、免震設備など、種々考えられる。しかしながら、上下を逆にすれば、火災検出用のセンサー等天井（住人から見える）等の高所に設置すべき機材のための基礎ブロック４１を設置するように応用することもできる。実施の形態６は、中間支持部材を介しない例である。
【００８６】
図１６（ａ）は、本発明の実施の形態６における基礎設置工程を示す平面図、図１６（ｂ）は、同断面図である。
【００８７】
図１６（ａ）、（ｂ）に示すように、基礎ブロック４１の中央部をややザグリ、固定ボルト４３を通すための長孔４２を開けておく。
【００８８】
埋込ブロック１の真上において、基礎ブロック４１を埋込ブロック１上に載置し、長孔４２を介して固定ボルト４３を床スラブ側雌ねじ部４にねじ込むことにより、基礎ブロック４１を埋込ブロック１に固定する。
【００８９】
図１６では、基礎ブロック４１は中実であるように記載されているが、設備が軽量な場合などでは中空の基礎ブロックを使用しても良い。基礎ブロック４１が固定された後は、基礎ブロック４１の上面は、設備を載置するための載置面となる。
【００９０】
この際にも、スラブ７にアンカーを打つ等の作業は全く必要ない。
【産業上の利用可能性】
【００９１】
本発明のスラブ構造は、例えば、現場打ちのコンクリートによりスラブを構築する分野において、スラブ完成後に各種設備を追加するため好適に利用できる。
【図面の簡単な説明】
【００９２】
【図１】本発明の一実施の形態におけるスラブ施工方法の工程説明図
【図２】本発明の一実施の形態におけるスラブ施工方法の工程説明図
【図３】本発明の一実施の形態におけるスラブ施工方法の工程説明図
【図４】本発明の一実施の形態におけるスラブ施工方法の工程説明図
【図５】（ａ）本発明の実施の形態１における床設置工程を示す平面図、（ｂ）同断面図
【図６】同埋込ブロックの水平配置を示す平面図
【図７】（ａ）本発明の実施の形態２における床設置工程を示す平面図、（ｂ）同断面図
【図８】同埋込ブロックの水平配置を示す平面図
【図９】（ａ）本発明の実施の形態３における床設置工程を示す平面図、（ｂ）同断面図
【図１０】同埋込ブロックの水平配置を示す平面図
【図１１】（ａ）本発明の実施の形態４の第１例における壁構築工程を示す平面図、（ｂ）同断面図
【図１２】（ａ）本発明の実施の形態４の第２例における壁構築工程を示す平面図、（ｂ）同断面図、（ｃ）本発明の実施の形態４の第３例における壁構築工程を示す平面図、（ｄ）同断面図
【図１３】本発明の実施の形態４における壁レイアウト変更の説明図
【図１４】（ａ）本発明の実施の形態５における配管設置工程を示す平面図、（ｂ）同断面図
【図１５】同埋込ブロックの水平配置を示す平面図
【図１６】（ａ）本発明の実施の形態６における基礎設置工程を示す平面図、（ｂ）同断面図
【符号の説明】
【００９３】
１  埋込ブロック
２  溝部
３  上面
４  床スラブ側雌ねじ部
５  底面
６  天井スラブ側雌ねじ部
７  スラブ
１０、１５  ベース
１１、１８  床束
１２  下地受
１３  下地板
１４  仕上板
１５ａ  ベース杆
１６、１７、２２、２８、３０、３３、３７、４３  固定ボルト
１６ａ  ベースプレート
１９  床根太
２０  下地間仕切壁
２１、２７  Ｕ字孔
２３  乾式壁
２４、３１  第１アングル
２５、３２  第２アングル
２９  連結プレート
３４  古い壁部分
３５  新しい壁部分
３６  ベース
３８  固定金具
３９  固定バンド
４０  配管
４１  基礎ブロック
４２  長孔
【図１】
2011099286.tif 000003
【図２】
2011099286.tif 000004
【図３】
2011099286.tif 000005
【図４】
2011099286.tif 000006
【図５】
2011099286.tif 000007
【図６】
2011099286.tif 000008
【図７】
2011099286.tif 000009
【図８】
2011099286.tif 000010
【図９】
2011099286.tif 000011
【図１０】
2011099286.tif 000012
【図１１】
2011099286.tif 000013
【図１２】
2011099286.tif 000014
【図１３】
2011099286.tif 000015
【図１４】
2011099286.tif 000016
【図１５】
2011099286.tif 000017
【図１６】
2011099286.tif 000018